(57)【要約】      （修正有）【課題】駆動トランジスタの閾値電圧と関係なく、均一な輝度の映像を表示できる画素及びこれを用いた有機電界発光表示装置を提供する。【解決手段】画素は、カソード電極が第２電源と接続される有機発光ダイオード、データ信号に対応して第１電源から有機発光ダイオードを経由して第２電源に流れる電流量を制御する第１トランジスタ、データ線及び第１トランジスタのゲート電極の間に接続される第２トランジスタ、第１トランジスタのゲート電極と基準電源との間に接続される第３トランジスタ、第３トランジスタと基準電源との間に接続される第４トランジスタ、有機発光ダイオードのアノード電極と初期電源との間に接続される第５トランジスタ、第３トランジスタ及び第４トランジスタの共通ノードと有機発光ダイオードのアノード電極との間に接続される第１キャパシタ、共通ノードと第１トランジスタのゲート電極との間に接続される第２キャパシタを備える。【選択図】図２
2010282169.tif 000002
【特許請求の範囲】
【請求項１】
カソード電極が第２電源と接続される有機発光ダイオードと、
データ信号に対応して第１電源から前記有機発光ダイオードを経由して前記第２電源に流れる電流量を制御する第１トランジスタと、
データ線及び前記第１トランジスタのゲート電極の間に接続され、走査線に走査信号が供給される時にターンオンされる第２トランジスタと、
前記第１トランジスタのゲート電極と基準電源との間に接続され、発光制御線に発光制御信号が供給される時にターンオフされる第３トランジスタと、
前記第３トランジスタと前記基準電源との間に接続され、制御線に制御信号が供給される時にターンオンされる第４トランジスタと、
前記有機発光ダイオードのアノード電極と初期電源との間に接続され、前記走査線に前記走査信号が供給される時にターンオンされる第５トランジスタと、
前記第３トランジスタ及び第４トランジスタの共通ノードと前記有機発光ダイオードのアノード電極との間に接続される第１キャパシタと、
前記共通ノードと前記第１トランジスタのゲート電極との間に接続される第２キャパシタと、
を備えることを特徴とする画素。
【請求項２】
前記第２トランジスタ及び第５トランジスタは、前記第４トランジスタがターンオンされる期間のうち一部の期間にターンオンされることを特徴とする請求項１に記載の画素。
【請求項３】
前記第２トランジスタ及び第５トランジスタは、前記第４トランジスタと同時にターンオンされることを特徴とする請求項２に記載の画素。
【請求項４】
前記第３トランジスタは、前記第４トランジスタがターンオンされる期間にターンオフされることを特徴とする請求項２に記載の画素。
【請求項５】
前記基準電源は、前記データ信号の電圧と同一であるか、前記データ信号の電圧より高い電圧に設定されることを特徴とする請求項１に記載の画素。
【請求項６】
前記初期電源は、前記データ信号の電圧より低い電圧に設定されることを特徴とする請求項５に記載の画素。
【請求項７】
前記初期電源は、前記データ信号の電圧から前記第１トランジスタの閾値電圧を減じた電圧より低い電圧に設定されることを特徴とする請求項６に記載の画素。
【請求項８】
前記第１電源は前記基準電源より高い電圧に設定されることを特徴とする請求項５に記載の画素。
【請求項９】
複数の走査線に走査信号を順次供給し、複数の発光制御線に発光制御信号を順次供給し、複数の制御線に制御信号を順次供給するための走査駆動部と、
複数のデータ線に前記走査信号と同期されるようにデータ信号を供給するためのデータ駆動部と、
前記走査線及びデータ線の交差部に位置する画素と、
を備え、  ｉ（ｉは自然数）番目の水平ラインに位置する前記画素は、
カソード電極が第２電源と接続される有機発光ダイオードと、
前記データ信号に対応して第１電源から前記有機発光ダイオードを経由して前記第２電源に流れる電流量を制御する第１トランジスタと、
前記データ線及び第１トランジスタのゲート電極の間に接続され、ｉ番目の走査線に前記走査信号が供給される時にターンオンされる第２トランジスタと、
前記第１トランジスタのゲート電極と基準電源との間に接続され、ｉ番目の発光制御線に前記発光制御信号が供給される時にターンオフされる第３トランジスタと、
前記第３トランジスタと前記基準電源との間に接続され、ｉ番目の制御線に前記制御信号が供給される時にターンオンされる第４トランジスタと、
前記有機発光ダイオードのアノード電極と初期電源との間に接続され、前記ｉ番目の走査線に前記走査信号が供給される時にターンオンされる第５トランジスタと、
前記第３トランジスタ及び第４トランジスタの共通ノードと前記有機発光ダイオードのアノード電極との間に接続される第１キャパシタと、
前記共通ノードと前記第１トランジスタのゲート電極との間に接続される第２キャパシタと、
を備えることを特徴とする有機電界発光表示装置。
【請求項１０】
前記走査駆動部は、前記ｉ番目の走査線に供給される前記走査信号と同じ時点に前記ｉ番目の制御線に前記制御信号を供給することを特徴とする請求項９に記載の有機電界発光表示装置。
【請求項１１】
前記制御信号は、前記走査信号より広い幅に設定されることを特徴とする請求項１０に記載の有機電界発光表示装置。
【請求項１２】
前記走査駆動部は、前記ｉ番目の制御線に前記制御信号が供給される期間に前記ｉ番目の発光制御線に前記発光制御信号を供給することを特徴とする請求項１０に記載の有機電界発光表示装置。
【請求項１３】
前記基準電源は、前記データ信号の電圧と同一であるか、前記データ信号の電圧より高い電圧に設定されることを特徴とする請求項９に記載の有機電界発光表示装置。
【請求項１４】
前記初期電源は前記データ信号の電圧より低い電圧に設定されることを特徴とする請求項１３に記載の有機電界発光表示装置。
【請求項１５】
前記初期電源は前記データ信号の電圧から前記第１トランジスタの閾値電圧を減じた電圧より低い電圧に設定されることを特徴とする請求項１３に記載の有機電界発光表示装置。
【請求項１６】
前記第１電源は前記基準電源より高い電圧に設定されることを特徴とする請求項１３に記載の有機電界発光表示装置。
【発明の詳細な説明】
【技術分野】
【０００１】
本発明は画素及びこれを用いた有機電界発光表示装置に関し、特に、駆動トランジスタの閾値電圧と関係なく、均一な輝度の映像を表示できるようにした画素及びこれを用いた有機電界発光表示装置に関する。
【背景技術】
【０００２】
最近、陰極線管（Ｃａｔｈｏｄｅ  Ｒａｙ  Ｔｕｂｅ）の短所である重さと体積を減らすことができる各種平板表示装置が開発されている。平板表示装置としては、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）及び有機電界発光表示装置（Ｏｒｇａｎｉｃ  Ｌｉｇｈｔ  Ｅｍｉｔｔｉｎｇ  Ｄｉｓｐｌａｙ）などが挙げられる。
【０００３】
平板表示装置のうち、有機電界発光表示装置は電子と正孔の再結合によって光を発生する有機発光ダイオードを用いて映像を表示する。このような有機電界発光表示装置は、速い応答速度を有すると同時に低い消費電力で駆動されるという長所がある。
【０００４】
図１は、一般的な有機電界発光表示装置の画素を示す回路図である。図１において画素に含まれるトランジスタはＮＭＯＳに設定される。
【０００５】
図１を参照すれば、従来の有機電界発光表示装置の画素４は、有機発光ダイオードＯＬＥＤと、データ線Ｄｍ及び走査線Ｓｎに接続されて有機発光ダイオードＯＬＥＤを制御するための画素回路２とを備える。
【０００６】
有機発光ダイオードＯＬＥＤのアノード電極は画素回路２に接続され、カソード電極は第２電源ＥＬＶＳＳに接続される。このような有機発光ダイオードＯＬＥＤは、画素回路２から供給される電流に対応して所定輝度の光を生成する。
【０００７】
画素回路２は、走査線Ｓｎに走査信号が供給される時、データ線Ｄｍに供給されるデータ信号に対応して有機発光ダイオードＯＬＥＤに供給される電流量を制御する。このために、画素回路２は第１電源ＥＬＶＤＤと有機発光ダイオードＯＬＥＤとの間に接続された第２トランジスタＭ２（即ち、駆動トランジスタ）と、第２トランジスタＭ２、データ線Ｄｍ及び走査線Ｓｎの間に接続された第１トランジスタＭ１と、第２トランジスタＭ２のゲート電極と第２電極との間に接続されたストレージキャパシタＣｓｔを備える。
【０００８】
第１トランジスタＭ１のゲート電極は走査線Ｓｎに接続され、第１電極はデータ線Ｄｍに接続される。そして、第１トランジスタＭ１の第２電極はストレージキャパシタＣｓｔの一側端子に接続される。ここで、第１電極はソース電極及びドレイン電極のうちのいずれかに設定され、第２電極は第１電極と異なる電極に設定される。例えば、第１電極がドレイン電極に設定されれば、第２電極はソース電極に設定される。走査線Ｓｎ及びデータ線Ｄｍに接続された第１トランジスタＭ１は、走査線Ｓｎから走査信号が供給される時にターンオンされてデータ線Ｄｍから供給されるデータ信号をストレージキャパシタＣｓｔに供給する。このとき、ストレージキャパシタＣｓｔは、データ信号に対応する電圧を充電する。
【０００９】
第２トランジスタＭ２のゲート電極はストレージキャパシタＣｓｔの一側端子に接続され、第１電極は第１電源ＥＬＶＤＤに接続される。そして、第２トランジスタＭ２の第２電極はストレージキャパシタＣｓｔの他側端子及び有機発光ダイオードＯＬＥＤのアノード電極に接続される。このような第２トランジスタＭ２はストレージキャパシタＣｓｔに格納された電圧値に対応して第１電源ＥＬＶＤＤから有機発光ダイオードＯＬＥＤを経由して第２電源ＥＬＶＳＳに流れる電流量を制御する。
【００１０】
ストレージキャパシタＣｓｔの一側端子は第２トランジスタＭ２のゲート電極に接続され、他側端子は有機発光ダイオードＯＬＥＤのアノード電極に接続される。このようなストレージキャパシタＣｓｔはデータ信号に対応する電圧を充電する。
【００１１】
このような従来の画素４は、ストレージキャパシタＣｓｔに充電された電圧に対応する電流を有機発光ダイオードＯＬＥＤに供給することで、所定輝度の画像を表示する。しかしながら、従来の有機電界発光表示装置は第２トランジスタＭ２の閾値電圧の偏差によって均一な輝度の映像を表示できないという問題がある。
【００１２】
画素４のそれぞれ毎に第２トランジスタＭ２の閾値電圧が異なるように設定される場合、画素４のそれぞれは同じデータ信号に対応して互いに異なる輝度の光を生成するため、均一な輝度の映像を表示できない。
【先行技術文献】
【特許文献】
【００１３】
【特許文献１】大韓民国特許公開第２００７−０１１６３８９号
【発明の概要】
【発明が解決しようとする課題】
【００１４】
そこで、本発明は上記事情に鑑みてなされたものであって、その目的は、駆動トランジスタの閾値電圧と関係なく、均一な輝度の映像を表示できるようにした画素及びこれを用いた有機電界発光表示装置を提供することにある。
【課題を解決するための手段】
【００１５】
前記目的を達成するための本発明による画素は、カソード電極が第２電源と接続される有機発光ダイオードと、データ信号に対応して第１電源から前記有機発光ダイオードを経由して前記第２電源に流れる電流量を制御する第１トランジスタと、データ線及び前記第１トランジスタのゲート電極の間に接続され、走査線に走査信号が供給される時にターンオンされる第２トランジスタと、前記第１トランジスタのゲート電極と基準電源との間に接続され、発光制御線に発光制御信号が供給される時にターンオフされる第３トランジスタと、前記第３トランジスタと前記基準電源との間に接続され、制御線に制御信号が供給される時にターンオンされる第４トランジスタと、前記有機発光ダイオードのアノード電極と初期電源との間に接続され、前記走査線に前記走査信号が供給される時にターンオンされる第５トランジスタと、前記第３トランジスタ及び第４トランジスタの共通ノードと前記有機発光ダイオードのアノード電極との間に接続される第１キャパシタと、前記共通ノードと前記第１トランジスタのゲート電極との間に接続される第２キャパシタとを備える。
【００１６】
好ましくは、前記第２トランジスタ及び第５トランジスタは前記第４トランジスタがターンオンされる期間のうち一部の期間にターンオンされる。前記第２トランジスタ及び第５トランジスタは、前記第４トランジスタと同時にターンオンされる。前記第３トランジスタは、前記第４トランジスタがターンオンされる期間にターンオフされる。前記基準電源は前記データ信号の電圧と同一であるか、高い電圧に設定される。前記初期電源は、前記データ信号の電圧より低い電圧に設定される。前記初期電源は、前記データ信号の電圧から前記第１トランジスタの閾値電圧を減じた電圧より低い電圧に設定される。前記第１電源は、前記基準電源より高い電圧に設定される。
【００１７】
本発明の実施形態による有機電界発光表示装置は、走査線に走査信号を順次供給し、発光制御線に発光制御信号を順次供給し、制御線に制御信号を順次供給するための走査駆動部と、データ線に前記走査信号と同期されるようにデータ信号を供給するためのデータ駆動部と、前記走査線及びデータ線の交差部に位置する画素とを備え、ｉ（ｉは自然数）番目の水平ラインに位置する前記画素はカソード電極が第２電源と接続される有機発光ダイオードと、前記データ信号に対応して第１電源から前記有機発光ダイオードを経由して前記第２電源に流れる電流量を制御する第１トランジスタと、前記データ線及び第１トランジスタのゲート電極の間に接続され、ｉ番目の走査線に前記走査信号が供給される時にターンオンされる第２トランジスタと、前記第１トランジスタのゲート電極と基準電源との間に接続され、ｉ番目の発光制御線に前記発光制御信号が供給される時にターンオフされる第３トランジスタと、前記第３トランジスタと前記基準電源との間に接続され、ｉ番目の制御線に前記制御信号が供給される時にターンオンされる第４トランジスタと、前記有機発光ダイオードのアノード電極と初期電源との間に接続され、前記ｉ番目の走査線に前記走査信号が供給される時にターンオンされる第５トランジスタと、前記第３トランジスタ及び第４トランジスタの共通ノードと前記有機発光ダイオードのアノード電極との間に接続される第１キャパシタと、前記共通ノードと前記第１トランジスタのゲート電極との間に接続される第２キャパシタとを備える。
【００１８】
好ましくは、前記走査駆動部は、前記ｉ番目の走査線に供給される前記走査信号と同じ時点に前記ｉ番目の制御線に前記制御信号を供給する。前記制御信号は前記走査信号より広い幅に設定される。前記走査駆動部は、前記ｉ番目の制御線に前記制御信号が供給される期間に前記ｉ番目の発光制御線に前記発光制御信号を供給する。前記基準電源は、前記データ信号の電圧と同一であるか、高い電圧に設定される。前記初期電源は、前記データ信号の電圧より低い電圧に設定される。前記初期電源は前記データ信号の電圧から前記第１トランジスタの閾値電圧を減じた電圧より低い電圧に設定される。前記第１電源は前記基準電源より高い電圧に設定される。
【発明の効果】
【００１９】
本発明の画素及びこれを用いた有機電界発光表示装置によれば、駆動トランジスタの閾値電圧の偏差と関係なく、均一な輝度の映像を表示できるという効果を奏する。
【図面の簡単な説明】
【００２０】
【図１】従来の有機電界発光表示装置の画素を示す図である。
【図２】本発明の実施形態による有機電界発光表示装置を示す図である。
【図３】図２に示す画素の実施形態を示す回路図である。
【図４】図３に示す画素の駆動方法を示す波形図である。
【発明を実施するための形態】
【００２１】
以下、本発明の属する技術分野における通常の知識を有する者が本発明を容易に実施できる好適な実施形態が添付された図２〜図４を参照して詳細に説明すれば、以下の通りである。
【００２２】
図２は、本発明の実施形態による有機電界発光表示装置を示す図である。
【００２３】
図２を参照すれば、本発明の実施形態による有機電界発光表示装置は、走査線Ｓ１〜Ｓｎ、制御線ＣＬ１〜ＣＬｎ、発光制御線Ｅ１〜Ｅｎ及びデータ線Ｄ１〜Ｄｍと接続されるように位置する画素１４０と、走査線Ｓ１〜Ｓｎ、発光制御線Ｅ１〜Ｅｎ及び制御線ＣＬ１〜ＣＬｎを駆動するための走査駆動部１１０と、データ線Ｄ１〜Ｄｍを駆動するためのデータ駆動部１２０と、走査駆動部１１０及びデータ駆動部１２０を制御するためのタイミング制御部１５０とを備える。
【００２４】
走査駆動部１１０は、タイミング制御部１５０から走査駆動制御信号ＳＣＳの供給を受ける。走査駆動制御信号ＳＣＳの供給を受けた走査駆動部１１０は走査信号を生成し、生成された走査信号を走査線Ｓ１〜Ｓｎに順次供給する。また、走査駆動部１１０は制御信号を生成し、生成された制御信号を制御線ＣＬ１〜ＣＬｎに順次供給する。ここで、ｉ（ｉは自然数）番目の制御線ＣＬｉに供給される制御信号はｉ番目の走査線Ｓｉに供給される走査信号と同時に供給され、走査信号より長い時間供給される。例えば、ｉ番目の制御線ＣＬｉに供給される制御信号は２つ以上の走査線Ｓｉ、Ｓｉ＋１、．．．に供給される走査信号と重なるように供給され得る。
【００２５】
そして、走査駆動部１１０は発光制御信号を生成し、生成された発光制御信号を発光制御線Ｅ１〜Ｅｎに順次供給する。ここで、ｉ番目の発光制御線Ｅｉに供給される発光制御信号はｉ番目の制御線ＣＬｉに供給される制御信号と重なるように供給される。
【００２６】
一方、本発明において走査信号及び制御信号は画素１４０に含まれるトランジスタがターンオンされ得る電圧に設定され、発光制御信号は画素１４０に含まれるトランジスタがターンオフされ得る電圧に設定される。例えば、走査信号及び制御信号はハイ電圧に設定され、発光制御信号はロウ電圧に設定される。
【００２７】
データ駆動部１２０は、タイミング制御部１５０からデータ駆動制御信号ＤＣＳの供給を受ける。データ駆動制御信号ＤＣＳの供給を受けたデータ駆動部１２０は、走査信号と同期されるようにデータ線Ｄ１〜Ｄｍにデータ信号を供給する。
【００２８】
タイミング制御部１５０は外部から供給される同期信号に対応してデータ駆動制御信号ＤＣＳ及び走査駆動制御信号ＳＣＳを生成する。タイミング制御部１５０で生成されたデータ駆動制御信号ＤＣＳは、データ駆動部１２０に供給され、走査駆動制御信号ＳＣＳは走査駆動部１１０に供給される。そして、タイミング制御部１５０は外部から供給されるデータＤａｔａをデータ駆動部１２０に供給する。
【００２９】
画素部１３０は、外部から第１電源ＥＬＶＤＤ、第２電源ＥＬＶＳＳ、基準電源Ｖｒｅｆ及び初期電源Ｖｉｎｔの供給を受けてそれぞれの画素１４０に供給する。第１電源ＥＬＶＤＤ、第２電源ＥＬＶＳＳ、基準電源Ｖｒｅｆ及び初期電源Ｖｉｎｔの供給を受けた画素１４０のそれぞれはデータ信号に対応する光を生成する。
【００３０】
ここで、第１電源ＥＬＶＤＤ、データ信号の電圧Ｖｄａｔａ、基準電源Ｖｒｅｆ及び初期電源Ｖｉｎｔの電圧は、下記の式１のように設定される。
【００３１】
【数１】
2010282169.tif 000003
【００３２】
式１を参照すれば、基準電源Ｖｒｅｆはデータ信号の電圧Ｖｄａｔａと同一であるか、高い電圧に設定される。そして、初期電源Ｖｉｎｔはデータ信号の電圧Ｖｄａｔａより低い電圧に設定される。実際に、初期電源Ｖｉｎｔはデータ信号の電圧Ｖｄａｔａから駆動トランジスタの閾値電圧を減じた電圧より低い電圧に設定される。第１電源ＥＬＶＤＤは、基準電源Ｖｒｅｆより高い電圧に設定される。
【００３３】
図３は、本発明の実施形態による画素を示す図である。図３においては、説明の便宜上、第ｎの走査線Ｓｎ及び第ｍのデータ線Ｄｍと接続された画素１４０を示す。
【００３４】
図３を参照すれば、本発明の実施形態による画素１４０は、有機発光ダイオードＯＬＥＤと、データ線Ｄｍ、走査線Ｓｎ、発光制御線Ｅｎ及び制御線ＣＬｎに接続されて有機発光ダイオードＯＬＥＤを制御するための画素回路１４２を備える。
【００３５】
有機発光ダイオードＯＬＥＤのアノード電極は画素回路１４２に接続され、カソード電極は第２電源ＥＬＶＳＳに接続される。このような有機発光ダイオードＯＬＥＤは、画素回路１４２から供給される電流に対応して所定輝度の光を生成する。
【００３６】
画素回路１４２は走査線Ｓｎに走査信号が供給される期間にデータ信号に対応する電圧を充電する。そして、画素回路１４２は走査線Ｓｎに走査信号の供給が中断され、制御線ＣＬｎに制御信号の供給が維持される期間に第１トランジスタＭ１の閾値電圧に対応する電圧を充電する。その後、画素回路１４２は、充電された電圧に対応する電流を有機発光ダイオードＯＬＥＤに供給する。このために、画素回路１４２は第１〜第５トランジスタＭ１〜Ｍ５、第１キャパシタＣ１及び第２キャパシタＣ２を備える。
【００３７】
第１トランジスタＭ１（駆動トランジスタ）のゲート電極は第１ノードＮ１に接続され、第１電極は第１電源ＥＬＶＤＤに接続される。そして、第１トランジスタＭ１の第２電極は有機発光ダイオードＯＬＥＤのアノード電極（即ち、第３ノードＮ３）に接続される。このような第１トランジスタＭ１は、第１ノードＮ１に印加される電圧に対応して有機発光ダイオードＯＬＥＤに供給される電流量を制御する。
【００３８】
第２トランジスタＭ２のゲート電極は走査線Ｓｎに接続され、第１電極はデータ線Ｄｍに接続される。そして、第２トランジスタＭ２の第２電極は第１ノードＮ１に接続される。このような第２トランジスタＭ２は走査線Ｓｎに走査信号が供給される時にターンオンされてデータ線Ｄｍと第１ノードＮ１を電気的に接続させる。
【００３９】
第３トランジスタＭ３のゲート電極は発光制御線Ｅｎに接続され、第２電極は第１ノードＮ１（即ち、第１トランジスタＭ１のゲート電極）に接続される。そして、第３トランジスタＭ３の第１電極は第２ノードＮ２に接続される。このような第３トランジスタＭ３は、発光制御線Ｅｎに発光制御信号が供給される時にターンオフされ、その他の場合にターンオンされて第１ノードＮ１と第２ノードＮ２を電気的に接続させる。
【００４０】
第４トランジスタＭ４のゲート電極は制御線ＣＬｎに接続され、第２電極は第２ノードＮ２に接続される。そして、第４トランジスタＭ４の第１電極は基準電源Ｖｒｅｆに接続される。このような第４トランジスタＭ４は、制御線ＣＬｎに制御信号が供給される時にターンオンされて基準電源Ｖｒｅｆの電圧を第２ノードＮ２に供給する。
【００４１】
第５トランジスタＭ５のゲート電極は走査線Ｓｎに接続され、第１電極は第３ノードＮ３に接続される。そして、第５トランジスタＭ５の第２電極は初期電源Ｖｉｎｔに接続される。このような第５トランジスタＭ５は走査線Ｓｎに走査信号が供給される時にターンオンされて初期電源Ｖｉｎｔを第３ノードＮ３に供給する。
【００４２】
第１キャパシタＣ１及び第２キャパシタＣ２は第３ノードＮ３と第１ノードＮ１との間に直列に接続される。そして、第１キャパシタＣ１及び２キャパシタＣ２の共通ノードは第３トランジスタＭ３及び第４トランジスタＭ４の共通ノード（即ち、第２ノードＮ２）に接続される。ここで、第２キャパシタＣ２及び第３トランジスタＭ３は第１ノードＮ１と第２ノードＮ２との間に並列に接続される。
【００４３】
図４は、図３の画素を駆動するための波形図を示す図である。
【００４４】
図３及び図４を結びつけて動作過程を詳細に説明すれば、まず、第１期間Ｔ１に走査線Ｓｎ、制御線ＣＬｎ及び発光制御線Ｅｎに走査信号、制御信号及び発光制御信号がそれぞれ供給される。
【００４５】
走査線Ｓｎに走査信号が供給されれば、第２トランジスタＭ２及び第５トランジスタＭ５がターンオンされる。制御線ＣＬｎに制御信号が供給されれば、第４トランジスタＭ４がターンオンされる。発光制御線Ｅｎに発光制御信号が供給されれば、第３トランジスタＭ３がターンオフされる。
【００４６】
第２トランジスタＭ２がターンオンされれば、データ線Ｄｍからのデータ信号が第１ノードＮ１に供給される。第５トランジスタＭ５がターンオンされれば、初期電源Ｖｉｎｔが第３ノードＮ３に供給される。ここで、初期電源Ｖｉｎｔは有機発光ダイオードＯＬＥＤがオフされ得る電圧に設定され、これにより、有機発光ダイオードＯＬＥＤで不要な光が生成されない。第４トランジスタＭ４がターンオンされれば、基準電源Ｖｒｅｆが第２ノードＮ２に供給される。
【００４７】
即ち、第１期間Ｔ１に第１ノードＮ１はデータ信号の電圧Ｖｄａｔａ、第２ノードＮ２は基準電源Ｖｒｅｆの電圧、第３ノードＮ３は初期電源Ｖｉｎｔの電圧に設定される。この場合、第２キャパシタＣ２はデータ信号の電圧Ｖｄａｔａと基準電源Ｖｒｅｆの差に該当する電圧を充電し、第１キャパシタＣ１は基準電源Ｖｒｅｆと初期電源Ｖｉｎｔの差に該当する電圧を充電する。一方、第１期間Ｔ１に第１トランジスタＭ１で流れる電流は初期電源Ｖｉｎｔに供給されるため、有機発光ダイオードＯＬＥＤは発光しない。
【００４８】
その後、第２期間Ｔ２に走査線Ｓｎへ走査信号の供給が中断される。走査線Ｓｎに走査信号の供給が中断されれば、第２トランジスタＭ２及び第５トランジスタＭ５がターンオフされる。
【００４９】
第２トランジスタＭ２がターンオフされれば、第１ノードＮ１は第２キャパシタＣ２に充電された電圧によって第１期間Ｔ１に供給された電圧を維持する。第５トランジスタＭ５がターンオフされれば、第３ノードＮ３の電圧はデータ信号の電圧Ｖｄａｔａから第１トランジスタＭ１の閾値電圧の減じた電圧まで上昇する。
【００５０】
詳細に説明すれば、第１期間に第１ノードＮ１の電圧はデータ信号の電圧Ｖｄａｔａに設定され、第３ノードＮ３の電圧は初期電源Ｖｉｎｔに設定される。ここで、初期電源Ｖｉｎｔの電圧はデータ信号の電圧Ｖｄａｔａから第１トランジスタＭ１の閾値電圧を減じた電圧より低い電圧に設定される。従って、第５トランジスタＭ５がターンオフされれば、第３ノードＮ３はデータ信号の電圧Ｖｄａｔａから第１トランジスタＭ１の閾値電圧を減じた電圧に上昇する。
【００５１】
この場合、第２キャパシタＣ２の両端にはＶｒｅｆ−Ｖｄａｔａの電圧が充電され、第１キャパシタＣ１の両端にはＶｒｅｆ−Ｖｄａｔａ＋Ｖｔｈ（Ｍ１）の電圧が充電される。
【００５２】
その後、第３期間Ｔ３に制御線ＣＬｎに制御信号の供給が中断され、発光制御線Ｅｎに発光制御信号の供給が中断される。制御線ＣＬｎに制御信号の供給が中断されると、第４トランジスタＭ４がターンオフされる。発光制御線Ｅｎに発光制御信号の供給が中断されると、第３トランジスタＭ３がターンオンされる。
【００５３】
第３トランジスタＭ３がターンオンされると、第１ノードＮ１及び第２ノードＮ２が電気的に接続される。この場合、第１キャパシタＣ１の両端の電圧差は０に設定され、第１トランジスタＭ１のゲート電極及びソース電極間の電圧Ｖｇｓ（Ｍ１）は第１キャパシタＣ１に充電された電圧に設定される。即ち、第１トランジスタＭ１のゲート電極及びソース電極間の電圧は、式２のように設定される。
【００５４】
【数２】
2010282169.tif 000004
【００５５】
第１トランジスタＭ１のＶｇｓの電圧によって有機発光ダイオードＯＬＥＤに流れる電流量は、式３のように設定される。
【００５６】
【数３】
2010282169.tif 000005
【００５７】
式３を参照すれば、有機発光ダイオードＯＬＥＤに流れる電流は基準電源Ｖｒｅｆの電圧とデータ信号の電圧Ｖｄａｔａの電圧差によって決定される。ここで、基準電源Ｖｒｅｆは固定された電圧であるので、有機発光ダイオードＯＬＥＤに流れる電流はデータ信号の電圧Ｖｄａｔａによって決定される。そして、本願発明は式３に示されるように、本願発明では第１トランジスタＭ１の閾値電圧の偏差と関係なく、均一な輝度の映像を表示できる。
【００５８】
一方、図３においてトランジスタがＮＭＯＳで形成されるものと示されたが、本発明はこれに限定されない。例えば、図３に示す画素はＰＭＯＳトランジスタに変更され得る。この場合、図４に示す波形の極性が反転されて供給されるだけで、動作過程は同一に設定される。
【００５９】
以上説明したように、本発明の最も好ましい実施の形態について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００６０】
１１０  走査駆動部、
１２０  データ駆動部、
１４０  画素、
１４２  画素回路、
１５０  タイミング制御部。
【図１】
2010282169.tif 000006
【図２】
2010282169.tif 000007
【図３】
2010282169.tif 000008
【図４】
2010282169.tif 000009